(57)【要約】【課題】  ＡＬＣパネル等の薄型パネルを建築物の躯体に取り付けるための金具であって、壁パネルの表面に釘又はビス跡が残らず、かつ面外方向の力に対してパネルの破損を防ぐ性能を兼ね備えた躯体に取り付けるための取付金具と、その取付金具を使用した薄型パネルの取付構造を提供する。【解決手段】  パネルを取り付けるための取付金具は、建築物の躯体に当接する垂直面からなる基部と、該基部上端からパネルの小口面に沿って水平方向に伸びる腕部と、該腕部の先端から垂直下方に垂下した折曲部が断面逆Ｌ字状に一体成形されたものとする。折曲部先端は爪状あるいは棒状としても良い。パネルの取付構造は、この折曲部でパネルの小口面を挟むか或いは噛み込ませるようにして把持して、パネルを躯体に取り付ける構造とする。【選択図】図１
2005325655.tif 000002
【特許請求の範囲】
【請求項１】
建築物の躯体に当接する垂直面からなる基部と、該基部上端からパネルの小口面に沿って水平方向に伸びる腕部と、該腕部の先端から垂直下方に垂下した折曲部が断面逆Ｌ字状に一体成形されて構成され、前記折曲部には釘又はビスを貫通させるためのネジ穴を有し、該ネジ穴に対向する前記基部には基部の切欠部を具備してなることを特徴とするパネルの取付金具。
【請求項２】
前記折曲部の中央部分が前記腕部よりも上方に延伸しており、該延伸部に前記ネジ穴が設けられてなることを特徴とする請求項１に記載のパネルの取付金具。
【請求項３】
前記折曲部の下端が爪状に形成されてなることを特徴とする請求項１または請求項２に記載のパネルの取付金具。
【請求項４】
前記腕部に下向きの爪部が形成されてなることを特徴とする請求項１から請求項３のいずれか１項に記載のパネルの取付金具。
【請求項５】
建築物の躯体に当接する垂直面からなる基部と、該基部上端からパネルの小口面に沿って水平方向に伸びる腕部と、該腕部の先端から垂直下方に垂下した折曲部が断面逆Ｌ字状に一体成形されて構成され、前記基部の一端は前記腕部よりも延伸して設けられ、かつ該延伸部根元から腕部と反対方向に直角に曲げられた張出部を有しており、該張出部に釘又はビスを貫通させるためのネジ穴を有していることを特徴とするパネルの取付金具。
【請求項６】
前記腕部に釘又はビスを貫通させるためのネジ穴を有していることを特徴とする請求項５に記載のパネルの取付金具。
【請求項７】
前記折曲部の下端が爪状に形成されてなることを特徴とする請求項５または請求項６に記載のパネルの取付金具。
【請求項８】
前記腕部に少なくとも１個の下向きの爪部が形成されてなることを特徴とする請求項５から請求項７のいずれか１項に記載のパネルの取付金具。
【請求項９】
前記基部と折曲部との間隔もしくは基部と折曲部下端の爪状部分との間隔が、取り付けようとするパネル厚さの３０〜７０％であることを特徴とする請求項１から請求項８のいずれか１項に記載のパネルの取付金具
【請求項１０】
請求項１から請求項９のいずれか１項に記載のパネルの取付金具を少なくとも１個以上使用し、取付金具の基部と折曲部との間にパネル先端を挟み込んで、もしくは折曲部下端の爪状部分をパネルの小口面に噛み込ませるようにして把持してパネルを固定し、前記折曲部に設けられたネジ穴から釘又はビスを貫通させて建築物の躯体に取付金具を固定することにより、パネルを躯体に固定することを特徴とするパネルの取付構造。
【発明の詳細な説明】
【技術分野】
【０００１】
本発明は、木造や軽量鉄骨造の建築物の壁用途に使用される軽量気泡コンクリート（ＡＬＣ）パネルなどの薄型壁パネルを外壁等の建築物の躯体に取り付けるための金具およびその壁パネルの取付構造に関するものである。
【背景技術】
【０００２】
ＡＬＣパネルは、コンクリートに比べて多孔質であるため軽量性及び断熱性に優れており、これらの特性を生かして建築材料、例えば建物の内外壁用パネルとして広く使用されている。そして、このＡＬＣパネルを建物壁として、柱や間柱などの躯体に取り付ける方法としては、図２０に示すように躯体３２に室外側から釘又はビス３７を７〜８ｍｍ打ち込み、パネル３１を固定して釘の頭部に目地材３４を充填して埋める方法が一般的である。この方法によれば、パネル表面に釘又はビス跡が残って外観上見栄えが悪くなる。
また、パネル表面に釘又はビス跡を残さないような取付け金具を用いた方法も提案されている（例えば、特許文献１参照。）。この方法は図２１に示すように、躯体とパネルを小口面で固着するための爪部を有する取付金具によって取り付ける方法である。すなわち、この取付金具５０は、躯体に上下方向及び／又は左右方向に連設されるパネルを、それらの各パネルの小口面で躯体に取付固定するために使用されるパネルの取付金具であって、躯体に固定される基部５１と、この基部５１からパネル方向に向けて延設され、パネルの小口面間に介在される腕部５２と、この腕部５２から互いに相反する二方向に向けて延設され、上下に隣接するパネルの両小口面に打ち込まれる爪部５３ａ，５３ｂ、５３ｃとからなり、これらの各部は板状の材料により一体に構成されている。
【特許文献１】特開２００２−２４２３４６号公報
【発明の開示】
【発明が解決しようとする課題】
【０００３】
上記の方法は、面外方向に力が加わった場合に取付部の爪部のみがパネルに当接することから、面外方向の荷重をパネルの部分強度で受け持つこととなりパネルが破損する恐れがある。また、取付金具の爪部のみの強度で荷重を受けるため爪部が変形して金具が破損する恐れがある。
本発明は、壁パネルの表面に釘又はビス跡が残らず、かつ面外方向の力に対してパネルの破損を防ぐ性能を兼ね備えた躯体に取り付けるための取付金具と、その取付金具を使用した薄型パネルの取付構造を提供することを目的とする。
【課題を解決するための手段】
【０００４】
本発明では、釘又はビス跡が残らず、かつ面外方向の力に対してパネルの破損を防ぐ性能を達成するため、パネルを取り付けるための取付金具は、金具の先端部でパネルの小口を挟み込み、あるいは先端部と同方向に突出する爪状あるいは棒状の形状をなす折曲部をパネルの小口に噛み込ませるようにして把持して、パネルを躯体に取り付ける方法を採用した。
【０００５】
本発明のパネルの取付金具の一つは、建築物の躯体に当接する垂直面からなる基部と、該基部上端からパネルの小口面に沿って水平方向に伸びる腕部と、該腕部の先端から垂直下方に垂下した折曲部が断面逆Ｌ字状に一体成形されて構成され、前記折曲部には釘又はビスを貫通させるためのネジ穴を有し、該ネジ穴に対向する前記基部には基部の切欠部を具備したパネルの取付金具とした。
このような構造のパネルの取付金具とすれば、金具の先端部でパネルの小口を挟み込むため、パネル面外方向に力が加わった場合でも荷重をパネルの広い部分で受け持つこととなり、パネルが破損することはない。また、取付金具が破損する恐れもない。さらに、パネル接合部に目地材を充填するのみで良く、釘又はビス跡が残ることもないので外観上も美観に優れた施工が可能となる。
【０００６】
本発明のパネルの取付金具においては、前記折曲部の中央部分が前記腕部よりも上方に延伸しており、該延伸部に前記ネジ穴を設けたものであっても良い。
また、前記折曲部の下端が爪状に形成されたものであっても良い。
さらに、前記腕部にも下向きの爪部が形成されたものであっても良い。
このようにすれば、より確実にパネルと取付金具を一体化することが可能となる。
【０００７】
本発明のパネルの取付金具は、建築物の躯体に当接する垂直面からなる基部と、該基部上端からパネルの小口面に沿って水平方向に伸びる腕部と、該腕部の先端から垂直下方に垂下した折曲部が断面逆Ｌ字状に一体成形されて構成され、前記基部の一端は前記腕部よりも延伸して設けられるとともに、該延伸部根元から腕部と反対方向に直角に曲げられた張出部を有しており、該張出部に釘又はビスを貫通させるためのネジ穴を有している取付金具とした。
このような構造を採用することにより、パネルと直交する躯体表面を利用して取付金具を固定する場合に好適な取付金具となる。
【０００８】
この取付金具においては、前記腕部に釘又はビスを貫通させるためのネジ穴を有しているものであっても良い。
また、前記折曲部の下端が爪状に形成されたものであっても良い。
さらに、前記腕部にも下向きの爪部が形成されたものであっても良い。
このようにすれば、より確実にパネルと取付金具を一体化することが可能となる。
【０００９】
これら本発明の取付金具においては、前記基部と折曲部との間隔、もしくは基部と折曲部下端の爪状部分との間隔を取り付けようとするパネル厚さの３０〜７０％とすることが好ましい。
パネルの強度を維持しつつ把持に必要な厚さを確保するためである。また、パネル上端に溝がつくことから、目地としての体裁も良いものとなるからである。
【００１０】
本発明のパネルの取付構造は、上述の本発明のパネルの取付金具を少なくとも１種以上使用して、取付金具の基部と折曲部との間にパネル先端を挟み込んで、もしくは折曲部下端の爪状部分をパネルの小口面に噛み込ませるように把持してパネルを固定し、前記折曲部に設けられたネジ穴から釘又はビスを貫通させて建築物の躯体に取付金具を固定することにより、パネルを躯体に固定するパネルの取付構造とした。
このようなパネルの取付構造とすれば、取付金具の先端部でパネルの小口を固定するため、パネル面外方向に力が加わった場合でも荷重をパネルの広い部分で受け持つこととなり、パネルが破損することはない。また、取付金具が破損する恐れもない。さらに、パネル接合部に目地材を充填するのみで良く、釘又はビス跡が残ることもないので外観上も美観に優れた施工が可能となる。
【発明の効果】
【００１１】
本発明によれば、パネルの表面に釘又はビス跡が残らず、釘又はビス穴を充填する必要もなくパネルの意匠性が良い施工ができる。また、面外方向の力に対して十分な強度を有して、パネルの破損を防ぐ性能を備えた外壁の施工が可能となる。
【発明を実施するための最良の形態】
【００１２】
以下図面を使用して本発明を詳しく説明する。
（第１の実施形態）
図１は、本発明の第１の実施形態に係るパネルの取付金具の外観斜視図であり、図２は図１に示すパネルの取付金具の線Ａ−Ａ’に沿った断面図である。
本発明の第１の実施形態に係るパネルの取付金具１０は、建築物の躯体に当接する垂直面からなる基部１と、該基部１の上端からパネルの小口面に沿って水平方向に伸びる腕部２と、該腕部２の先端から垂直下方に垂下した折曲部３が図２に示すように断面逆Ｌ字状に一体成形されて構成されている。そして折曲部３には釘又はビスを貫通させるためのネジ穴４を有し、該ネジ穴４に対向する基部１には基部の切欠部１ａが設けられている。
切欠部１ａはネジ穴４から図示省略の釘又はビスを貫通させて、図示省略の建築物躯体に固定する際に、釘又はビスに自由度を持たせる役割を果たしている。
切欠部１ａは取付金具１０を形成する際に、薄鋼板の中心部を打ち抜いてプレス加工して作るので、腕部２の切り欠き部２ａとともに一体成形される。
【００１３】
図３は、第１の実施形態に係るパネルの取付金具の変形例を示すものであって、このパネルの取付金具１１は折曲部３の中央部分が腕部よりも上方に延伸しており、該延伸部３ａにネジ穴４が設けられている。
このような構造とすれば、パネルの小口面を腕部２の裏面に当接させて把持することができ、釘又はビスはパネル小口面の上部を通って躯体に固定できるので、より安定してパネルを把持することが可能となる。
【００１４】
次に、このパネルの取付金具１１を使用したパネルの取付構造を図４に示す。
ＡＬＣパネル等の薄型パネル３１の上端をパネルの取付金具１１の基部１と折曲部３で挟んで把持し、ネジ穴４に釘又はビス３７を貫通させて建築物の躯体３２に固定する。なお、パネルの取付金具１１の折曲部３の配置位置は、取り付けるべき薄型パネル３１本体厚さの３０〜７０％である。この場合、パネル上端部は厚さを薄く切り欠いておく。このようにすればパネル取付後に目地材を充填して、取付金具や釘又はビス跡が露出することはない。
ここで、かかるパネルの取付金具１１の折曲部３の配置位置を取り付けるべき薄型パネル３１本体厚さの３０〜７０％とするのは、３０％未満ではパネル内側の残存厚さが少な過ぎて、面外側方向の力に対して脆弱になるから妥当ではなく、また、７０％を超えるとパネル取付後に取付金具や釘又はビス跡が露出する場合があるからである。
図５は、この取付構造の断面を示す図である。釘又はビス３７でパネル３１を躯体３２に固定した後、パネルの取付金具１１の折曲部３の表面に目地材３４を充填する。釘又はビスの跡が露出することもなく、きれいな目地を構成するので美観に優れたものとなる。
【００１５】
図６は、第１の実施形態に係るパネルの取付金具の別の変形例を示すものであって、このパネルの取付金具１２は折曲部３の下端３ｂが爪状に形成されている。下端３ｂは爪状にする他に、棒状に形成しても良い。
さらに図７は他の変形例を示すものであって、折曲部３の下端３ｂが爪状に形成されているとともに折曲部３の中央部分が前記腕部よりも上方に延伸して延伸部３ａが形成されており、該延伸部３ａにネジ穴４が設けられている。
この爪状の下端３ｂを薄型パネル３１の上端小口面３１ａにより簡単に噛み込ませることができ、より強固にパネルを把持・固定することができる。
【００１６】
さらに、図８から図１１には第１の実施形態に係るパネルの取付金具の別の変形例を示している。これらのパネルの取付金具は、腕部２に下向きの爪部５が形成されているものである。
この爪部５を薄型パネル３１の上端小口面３１ａに噛み込ませることにより、さらに強固にパネルを把持・固定することができる。
図８に示すパネルの取付金具１４は、腕部２に下向きの爪部５を有している。
図９に示すパネルの取付金具１５、は腕部２に下向きの爪部５を有するとともに、折曲部３の下端３ｂが爪状に形成されている。
図１０に示すパネルの取付金具１６は、腕部２に下向きの爪部５を有するとともに、折曲部３の中央部分が腕部よりも上方に延伸しており、該延伸部３ａにネジ穴４が設けられている。
図１１に示すパネルの取付金具１７は、腕部２に下向きの爪部５を有するとともに、折曲部３の中央部分３ａが腕部よりも上方に延伸しており、該延伸部３ａにネジ穴４が設けられ、その上折曲部３の下端３ｂが爪状に形成されている。
これらのパネルの取付金具において、基部１と折曲部３の下端３ｂとの間隔は、取り付けるべき薄型パネル３１本体厚さの３０〜７０％とする。３０％未満ではパネル内側の残存厚さが少なすぎて、面外側方向の力に対して脆弱になるので妥当ではなく、また、７０％を超えるとパネル外側の残存厚さが少なすぎて、面外側方向の力に対して脆弱になり、しかもパネル取付後に取付金具や釘又はビス跡が露出する場合があるので妥当でないからである。
このようなパネルの取付金具を使用すれば、爪部をパネルの小口面に噛み込ませるようにして把持できるので、より強固にパネルを把持・固定することができる。
【００１７】
（第２の実施形態）
図１２は、本発明の第２の実施形態に係るパネルの取付金具の外観斜視図である。
第２の実施形態に係るパネルの取付金具２０は、建築物の躯体に当接する垂直面からなる基部１と、該基部１上端からパネルの小口面に沿って水平方向に伸びる腕部２と、該腕部２の先端から垂直下方に垂下した折曲部３が断面逆Ｌ字状に一体成形されて構成され、前記基部１の一端１ａは前記腕部２よりも延伸して設けられ、かつ該延伸部の根本から腕部２と反対方向に直角に曲げられた張出部６を有しており、該張出部６に釘又はビスを貫通させるためのネジ穴７を有している。
このような構造を採用することにより、パネルと直交する躯体表面を利用して取り付ける場合に好適な取付金具となる。
【００１８】
図１３は、第２の実施形態に係るパネルの取付金具の変形例を示すものであって、このパネルの取付金具２１は腕部２にネジ穴に釘又はビスを貫通させるネジ穴８を有している。
このネジ穴８を通してパネルの小口面に釘又はビスを打ち込んで固定すれば、より強固にパネルと取付金具を固定することができる。
【００１９】
次に、このパネルの取付金具２１を使用したパネルの取付構造を図１４に示す。
ＡＬＣパネル等の薄型パネル３１の上端をパネルの取付金具１１の基部１と折曲部３で挟んで把持し、ネジ穴８に釘又はビスを貫通させてパネル３１と取付金具２１を固定し、さらにネジ穴７に釘又はビスを貫通させて建築物の躯体３２の側面に固定する。なお、パネルの取付金具２１の折り曲げ部の位置は、薄型パネル３１本体厚さの３０〜７０％の厚さの範囲に配置してある。
図１５は、この取付構造の断面を示す図である。パネルの取付金具２１は建築物の躯体３２の側面に固定されている。釘又はビス３７でパネル３１を躯体３２に固定した後、パネルの取付金具１１の折曲部３の表面に目地材３４を充填する。こうすれば、釘又はビスの跡が露出することもなく、きれいな目地を構成するので美観に優れたものとなる。
【００２０】
図１６及び図１７は、第２の実施形態に係るパネルの取付金具の別の変形例を示すものであって、折曲部３の下端３ｂが爪状に形成されている。
図１６に示すパネルの取付金具２２は、折曲部３の下端３ｂが爪状に形成されている。図１７に示すパネルの取付金具２３は、折曲部３の下端３ｂが爪状に形成されているとともに、腕部２の中央に釘又はビスを貫通させるためのネジ穴８が設けられている。折曲部３の下端３ｂは爪状にする他に、棒状に形成しても良い。
このように折曲部３の下端３ｂを爪状もしくは棒状にすることにより、簡単にパネルの小口面に噛み込ませるようにして固定することが可能となる。
【００２１】
さらに図１８と図１９は他の変形例を示すものであって、腕部２に下向きの爪部５を有している。
図１８に示すパネルの取付金具２４は、腕部２に下向きの爪部５を１個有している。
図１９に示すパネルの取付金具２５は、腕部２に下向きの爪部５を２個有している。
この爪状の下端３ｂを薄型パネル３１の上端小口面３１ａに噛み込ませることによっても、より強固にパネルを把持・固定することができる。
【図面の簡単な説明】
【００２２】
【図１】本発明の第１の実施形態に係るパネルの取付金具の外観斜視図である。
【図２】図１に示すパネルの取付金具の線Ａ−Ａ’に沿った断面図である。
【図３】パネルの取付金具の変形例を示す外観斜視図である。
【図４】本発明のパネルの取付構造の一例を示す斜視図である。
【図５】本発明のパネルの取付構造の一例を示す断面図である。
【図６】パネルの取付金具の他の変形例を示す外観斜視図である。
【図７】パネルの取付金具の他の変形例を示す外観斜視図である。
【図８】パネルの取付金具の他の変形例を示す外観斜視図である。
【図９】パネルの取付金具の他の変形例を示す外観斜視図である。
【図１０】パネルの取付金具の他の変形例を示す外観斜視図である。
【図１１】パネルの取付金具の他の変形例を示す外観斜視図である。
【図１２】本発明の第２の実施形態に係るパネルの取付金具の外観斜視図である。
【図１３】パネルの取付金具の変形例を示す外観斜視図である。
【図１４】本発明のパネルの取付構造の他の例を示す斜視図である。
【図１５】本発明のパネルの取付構造の他の例を示す断面図である。
【図１６】パネルの取付金具の他の変形例を示す外観斜視図である。
【図１７】パネルの取付金具の他の変形例を示す外観斜視図である。
【図１８】パネルの取付金具の他の変形例を示す外観斜視図である。
【図１９】パネルの取付金具の他の変形例を示す外観斜視図である。
【図２０】従来のパネルの取付構造の一例を示す断面図である。
【図２１】従来のパネルの取付金具の一例を示す外観斜視図である。
【符号の説明】
【００２３】
１・・・・・・基部
２・・・・・・腕部
３・・・・・・折曲部
４・・・・・・ネジ穴
５・・・・・・爪部
６・・・・・・張出部、
１０，１１，１２，１３，１４，１５，１６，１７，２０，２１，２２，２３，２４，２５，５０・・・・・・パネルの取付金具
３１・・・・・・パネル
３２・・・・・・躯体
３４・・・・・・目地材
５１・・・・・・基部
５２・・・・・・腕部
５３・・・・・・爪部
【図１】
2005325655.tif 000003
【図２】
2005325655.tif 000004
【図３】
2005325655.tif 000005
【図４】
2005325655.tif 000006
【図５】
2005325655.tif 000007
【図６】
2005325655.tif 000008
【図７】
2005325655.tif 000009
【図８】
2005325655.tif 000010
【図９】
2005325655.tif 000011
【図１０】
2005325655.tif 000012
【図１１】
2005325655.tif 000013
【図１２】
2005325655.tif 000014
【図１３】
2005325655.tif 000015
【図１４】
2005325655.tif 000016
【図１５】
2005325655.tif 000017
【図１６】
2005325655.tif 000018
【図１７】
2005325655.tif 000019
【図１８】
2005325655.tif 000020
【図１９】
2005325655.tif 000021
【図２０】
2005325655.tif 000022
【図２１】
2005325655.tif 000023